(57)【要約】  装置１は、縦に動かされる糸状体９の切断に用いられる。それは切断刃５及び切断刃５と行動作用するアンビル６を持っている。切断刃５用駆動磁石装置は、コイル３、２部分から成る磁束戻り継鉄２１，２２、及び切断刃５に結合されるプランジャ形接極子４を含んでいる。支持構造体７はコイル３及び両方の継鉄半体２１，２２を支持している。継鉄半体２１，２２は、弾性的に偏向可能な腕８１，８２により、かみ合い鎖錠装置７１〜７４を介して支持構造体７に取付けられている。それにより装置１は簡単な構造を持ち、簡単に製造可能で安価である。
2010535681.tif 000002
【特許請求の範囲】
【請求項１】
糸状体（９）の切断装置（１）であって、定置切断部材（６）及び駆動磁石装置を備えた可動切断部材（５）を持ち、両方の切断部材の共同作用によって糸状体（９）の切断を行い、駆動磁石装置が
磁界（３１，３２）を発生する定置コイル（３）、
定置磁束戻り継鉄（２１，２２）、
可動に案内されかつ可動切断部材（５）に伝動結合されるプランジャ形接極子（４）及び
駆動磁石装置の少なくとも２つの定置素子（３，２１，２２）を支持する支持構造体（７）を持ち、
磁界（３１，３２）が閉じられかつプランジャ形接極子（４）及び磁束戻り継鉄（２１，２２）を通るように、コイル（３）、磁束戻り継鉄（２１，２２）及びプランジャ形接極子（４）が形成されかつ互いに関連して設けられている
ものにおいて、
支持構造体（７）が、少なくとも１つのかみ合い鎖錠装置（７１〜７４）を形成するため少なくとも１つの弾性的に偏向可能な腕（８１，８２）を持ち、このかみ合い鎖錠装置（７１〜７４）により、少なくとも２つの定置素子（３，２１，２２）が支持構造体（７）に取付け可能である
ことを特徴とする装置。
【請求項２】
支持構造体（７）が、コイル（３）及び磁束戻り継鉄（２１，２２）又は磁束戻り継鉄（２１）の一部を支持して互いに結合している、請求項１に記載の装置。
【請求項３】
コイル（３）が直接支持構造体（７）に巻付けられている、請求項２に記載の装置。
【請求項４】
磁束戻り継鉄（２１，２２）又は磁束戻り継鉄の一部（２１）が、少なくとも１つのかみ合い鎖錠装置（７１〜７４）なるべく２つのかみ合い鎖錠装置（７１，７３）を介して支持構造体（７）に取付け可能である、請求項２又は３に記載の装置。
【請求項５】
少なくとも１つのかみ合い鎖錠装置（７１）が、磁束戻り継鉄（２１，２２）又は磁束戻り継鉄の一部（２１）をはまり合いで包囲して弾性的に偏向可能な２つの腕（８１，８２）を持っている、請求項４の記載の装置。
【請求項６】
磁束戻り継鉄（２１，２２）が、コイル（３）に対して対称に設けられて２つの磁気回路（３１，３２）を形成する２つの継鉄半体（２１，２２）を含んでいる、先行する請求項の１つに記載の装置。
【請求項７】
支持構造体（７）が１片から製造されている、先行する請求項の１つに記載の装置。
【請求項８】
支持構造体（７）がプラスチック例えばポリアミドから成り、なるべく射出成形により製造されている、先行する請求項の１つに記載の装置。
【請求項９】
支持構造体（７）がプランジャ形接極子（４）用の案内部を形成している、先行する請求項の１つに記載の装置。
【請求項１０】
支持構造体（７）が定置切断部材（６）を支持し、かつ駆動磁石装置の少なくとも２つの定置素子（３，２１，２２）に結合している、先行する請求項の１つに記載の装置。
【請求項１１】
定置切断部材（６）が、磁束戻り継鉄又は磁束戻り継鉄の一部（２２）と一体に形成されている、請求項２又は１０に記載の装置。
【請求項１２】
定置切断部材がアンビル（６）であり、可動切断部材が切断刃（５）である、先行する請求項の１つに記載の装置。
【請求項１３】
定置切断部材が切断刃であり、可動切断部材がアンビル（６）である、請求項１〜１１の１つに記載の装置。
【請求項１４】
プランジャ形接極子（４）と支持構造体（７）との間に戻しばね（４９が設けられている、先行する請求項の１つに記載の装置。
【請求項１５】
支持構造体（７）が使用可能であり、駆動磁石装置の少なくとも２つの定置素子（３，２１，２２）が支持構造体（７）へ入れられるものにおいて、少なくとも２つの定置素子（３，２１，２２）の１つが、少なくとも１つの弾性的に偏向可能な腕（８１，８２）により形成される少なくとも１つのかみ合い鎖錠装置（７１〜７４）を介して、支持構造体（７）に取付けられることを特徴とする、先行する請求項の１つに記載の装置の組立て方法。
【発明の詳細な説明】
【技術分野】
【０００１】  本発明は、糸状体の切断の分野にある。本発明は、請求項１の上位概念に記載のなるべく縦方向に動かされる糸状体の切断装置に関する。本発明は、紡糸機又は巻取り機で糸品質を監視及び保証するために普通であるように、ヤーンクリヤラにおいて好んで使用される。
【背景技術】
【０００２】  縦方向に動かされる糸から欠陥のある糸部分を自動的に検出して切断する装置は、繊維産業においてヤーンクリヤラと称される。それらは、紡糸機及び巻取り機において紡糸個所又は巻取り個所に多数取付けられている。ロービング、スライバ等のような他の長い繊維形成物の切断にも、切断装置が使用される。【０００３】  国際公開第００／０６４７９号から、例えば請求項１の上位概念による切断装置が公知であり、この種の公知の装置におけるように、縦に動かされる糸状体の縦方向に対して直角に往復移動可能な切断刃が設けられて、固定した相手保持体と共同作用する。縦に動かされる糸状体を切断するため切断刃が、相手保持体に当たるまで、この相手保持体の方へ動かされる。それにより糸状体の切断が行われる。それから新たな切断が始まるまで、切断刃がその初期位置へ戻される。【０００４】  図１は、従来技術例えば国際公開第００／０６４７９号から公知のような切断装置１′の斜視図を示す。切断装置１′は支持体１０′を持っている。磁束戻り継鉄２′、円筒状コイル３′、及び縦軸線に沿って移動可能な円柱状プランジャ形接極子４′が、刃保持体５１′及び切断刃５′用の駆動装置を形成している。相手保持体又はアンビル６′は、図１の実施例では、支持体１０′の一部を形成している。アンビル６′は硬化された面６０′を持ち、縦に動かされる糸状体９ここでは例えば糸が、矢印９０の方向に面６０′の前を通って動かされる。支持体１０′の所に２つの結合ねじ１１′及び１２′が認められ、これらの結合ねじを介して装置１′を例えば紡糸機又は巻取り機のような繊維機械に取付けることができる。切断刃５′はなるべく固定的に刃保持体５１′に結合され、この刃保持体５１′が、ここでは分離可能なはまり合い結合装置５２′を介して、プランジャ形接極子４′の突起を形成する突き棒４３′（図２）に結合されている。コイル３′が導線を介して図示しない制御回路に接続される巻線を持っていることは公知であり、従ってここには示されていないが、切断刃５′を操作するため、コイル３′が制御回路を介して制御される。【０００５】  図２には、図１の切断装置１′の主要な部分が示されている。その見方は図１とは異なっている。すなわち図１では、左前から見た図が示されているが、図２は右後ろから見た図を示している。更に図２は部分的に開かれた図を示している。すなわちコイル３′が記入されていないので、コイル３′により包囲される内部空間の内部が示されている。プランジャ形接極子４′の前端部４１′は円錐状に形成され、それに応じて相補的に形成されて縦軸線に沿って向けられる磁束戻り継鉄２′の収容片２１′に収容される。プランジャ形接極子４′は突き棒４３′に続き、この突き棒は磁束戻り継鉄２′から前方へ突出して、刃保持体５１′及び切断刃５′（簡単にするため図２には示されていない）を支持している。突き棒４３′は純機械的な機能を持っている。即ち突き棒４３′は、装置の後述する磁気作用を乱さないようにするため、強磁性材料から成っていてはならない。図からも認められる戻しばね４９′の一部は、切断運動中に応力をかけられ、切断過程後にプランジャ形接極子４′を再び図２に示す初期位置へ押���。【０００６】  縦に動かされる糸状体９（図１）をきれいにするため、即ち欠陥のある部分が除かれるように切断するため、切断が行われ、この切断のため切断刃５′ができるだけ速く充分な力又は大きい運動エネルギで相手保持体又はアンビル６′の方へ動かされる。その際糸状体９は、切断刃５′とアンビル６′の面６０′との間に挟み込まれて、切断刃５′により切断される。切断装置の駆動は磁気抵抗の原理に基いている。プランジャ形接極子４′及び磁束戻り継鉄２′はそれぞれ強磁性材料から成っている。それらは、共に強磁性磁心を形成し、コイル３により部分的に包囲されている。初期位置でプランジャ形接極子４′の前端部４１′と収容片２１′の後端部との間には間隙４４′がある。切断過程の開始のためコイル３が通電され、それにより磁束戻り継鉄２′の両方のＵ字状湾曲片の各々に閉じた磁界が発生される。このシステムの磁界エネルギは、間隙４４′が小さいほど、それだけ小さい。システムはその磁界エネルギを最小にする傾向があり、従って間隙４４′を減少する傾向があるので、プランジャ形接極子４′は収容片２１′の方へ加速される。この加速が切断を行う。切断後プランジャ形接極子４′は戻しばね４９′により初期位置へ戻される。【０００７】  このように構成される装置１′の欠点は、特にその製造及び組立に費用がかかりかつ高価なことである。磁束戻り継鉄２′はプレスされる鋼異形材から製造される。プランジャ形接極子４′及び突き棒４３′のために２つの穴を設けねばならず、外側輪郭をフライス削りせねばならない。それからプランジャ形接極子４′が挿入され、同様に鋼から別個に製造される収容片２１′が前部穴に圧入されるので、コイル３′により包囲されている支持体１′も同様に別個に製造し、磁束戻り継鉄２′をその上にねじ１１′，１２′により取付けねばならない。【０００８】  英国特許出願公開第２′０６５′３７５号明細書は、コイル及びＵ字状半継鉄を持ちかつ公知のようにプランジャ形接極子を駆動する駆動磁石装置を開示している。コイルは、両端にそれぞれプランジャを持つコイル保持体に巻付けられている。両方のプランジャと半継鉄の両方の脚片は、それぞれ突起を備え、これらの突起が精確にはまるように形成されて、コイル保持体が半継鉄への押込みの際係止されるようにしている。コイル保持体と半継鉄ははまり合い相互結合によりまとめられる。この構造の欠点は、脚片の内側に溝を設けられる半継鉄の製造に費用がかかることである。係止に必要な弾性を保証するため、半継鉄の脚片は充分薄くなければならない。しかしこの要求は、半継鉄を通るできるだけ大きい磁束を得るために必要なできるだけ厚い半継鉄の要求に反する。脚辺の１つの設けられるＵ字状スリットにコイル保持体を収容するために、半継鉄は充分幅広くなければならず、それが大きい所要場所の原因となる。
【発明の概要】
【発明が解決しようとする課題】
【０００９】  従って本発明の課題は、従来技術の欠点を回避する切断装置を提供することである。切断装置は特に簡単に製造される部分から構成され、特に簡単な構造を持ち、安価であり、大きい磁束を許容し、僅かな構造空間しかとらないようにする。
【課題を解決するための手段】
【００１０】  この課題は、請求項１に記載されているような本発明による切断装置によって解決される。有利な実施形態は従属請求個に示されている。本発明による装置の組立て方法も示されている。【００１１】  本発明は、糸状体を切断するために、従来技術に比較して更に発展された駆動磁石装置を使用する。【００１２】糸状体を切断するための本発明による装置は、定置の切断部材と駆動磁石を備えた可動切断部材とを含み、その共同作用により糸状体の切断を行う。駆動磁石装置が磁界を発生する定置コイル、定置磁束戻り継鉄、可動に案内されかつ可動切断部材に伝動結合されるプランジャ形接極子及び駆動磁石装置の少なくとも２つの定置素子を支持する支持構造体を持っている。支持構造体が、少なくとも１つのかみ合い鎖錠装置を形成するため少なくとも１つの弾性的に偏向可能な腕を持ち、このかみ合い鎖錠装置により、少なくとも２つの定置素子が支持構造体に取付け可能である。磁界が閉じられかつプランジャ形接極子及び磁束戻り継鉄を通るように、コイル、磁束戻り継鉄及びプランジャ形接極子が形成されかつ互いに関連して設けられている。【００１３】  本発明による装置の好ましい実施形態では、支持構造体がコイル及び磁束戻り継鉄として作用する２つの継鉄半体を支持し、これらの継鉄半体を互いに結合している。継鉄半体は、それぞれ２つのかみ合い鎖錠装置を介して支持構造体に取付けられている。コイルがなるべく直接支持構造体に巻付けられている。支持構造体がなるべくプラスチックから成り、射出成形により一体に製造されている。【００１４】  支持構造体ができるだけ４つの機能をそれ自体でまとめている時に、本発明の利点が有効となる。支持構造体はなるべく同時にコイルの巻線の支持体、両方の継鉄半体の位置ぎめ体及び保持体、プランジャ形接極子及び突き棒の直線案内部、戻しばねの支持片、及びアンビル又は切断刃の位置ぎめ体及び保持体である。【００１５】  本発明による装置を組立てるための本発明による方法では、支持構造体が使用可能であり、駆動磁石装置の少なくとも２つの定置素子が支持構造体へ入れられる。少なくとも２つの定置素子の１つが、少なくとも１つの弾性的に偏向可能な腕により形成される少なくとも１つのかみ合い鎖錠装置を介して、支持構造体に取付けられている。【００１６】  本発明により得られる利点は、特に、この装置が非常に簡単に組立てられるので、不適任な労働力又は自動装置にこの役割を任せることができる。この装置は危険、組立て誤差を少なくし、それにより製造の際予想される不良品を減少する。【００１７】  添付図面を参照して本発明が例により以下に説明される。
【図面の簡単な説明】
【００１８】
【図１】  従来技術による切断装置の斜視図を示す。
【図２】  図による切断装置の一部の斜視図を示す。
【図３】  本発明による装置の第１実施例の最も重要な部分の一部を分解した斜視図を示す。
【図４】  図３の実施例の縦断面図を示す。
【図５】  本発明による装置の第２実施例の最も重要な部分の一部を分解した斜視図で示す。
【図６】  図５の実施例の縦断面図を示す。
【図７】  本発明による装置の第３実施例の最も重要な部分の一部を分解した斜視図を示す。
【図８】  図７の実施例の縦断面図を示す。
【発明を実施するための形態】
【００１９】  図３及び５は本発明による切断装置１の第１実施例を示す。装置の主要な部分は支持構造体７によりまとめられ、即ち支持されかつ互いに結合されている。支持構造体７はプラスチック例えばポリアミドから成る一体の射出成形部品であり、ガラス繊維のような充填材及び／又は補強材で補足可能である。それは大体においてコイル支持体７５、４つのかみ合い鎖錠装置７１〜７４及び湾曲片７６から成っている。コイル支持体７５は実質的に四角形の輪郭を持つ例えば管であり、装置１の構成の際外からコイル３の巻線がこの管上に設けられる。コイル支持体７５の内部空間の輪郭と四角形断面をもつプランジャ形接極子４の外形は互いにはまり合うように合わされて、プランジャ形接極子４がコイル支持体７５の内部空間内に案内され、その縦方向に沿って往復運動可能であるようにしている。従ってコイル支持体７５の内面は、案内面として適当に形成されている。プランジャ形接極子４は強磁性材料から成り、例えば結合ねじにより、強磁性でない材料から成る突き棒４３に結合されている。突き棒４３上に戻しばね４９がかぶせられるので、戻しばね４９が突き棒４３を包囲し、組立てられた状態でプランジャ形接極子４と湾曲片７６とに支持される。湾曲片７６は穴７７を持ち、突き棒４３がこの穴７７を貫通してこの穴内に案内される。組立てられた状態で突き棒４３に、なるべく分離可能な適当な結合装置５２を介して刃保持体５１が取付けられている。刃保持体５１は、その名が示すように切断刃５を支持し、この切断刃５が定置アンビル６と共同作用する。アンビル６と切断刃５との間に、縦に動かされる糸状体９例えば糸の軌道が延びている。かみ合い鎖錠装置７１〜７４が対をなして、２つのほぼＵ字状の継鉄半体２１，２２の取付けに役立つ。これらのかみ合い鎖錠装置７１〜７４は互いに同じであり、それぞれ１対の偏向可能な腕８１，８２は弾性的に構成されて、外方へ偏向可能である。
【００２０】  装置の組立ての際、継鉄半体２１が上（又は下）から対応する両方のかみ合い鎖錠装置７１，７３へ導入される。縦方向における継鉄半体２１の案内は、ストッパ８５〜８８が行う。即ち２つの別のこのようなストッパは図１では隠されており、従って見えない。継鉄半体２１の導入の際、突起８３，３４が継鉄半体２１に沿って滑るので、腕８１，８２が外方へ偏向される。継鉄半体２１が終端位置に達すると、突起８３，８４が継鉄半体２１の上（又は下）で閉じるようにスナップ動作し、腕８１，８２がその固有弾性のため側方偏向位置からその最終状態へ戻る。こうして継鉄半体２１は、それに付属する両方のかみ合い鎖錠装置７１，７３及びそれに付属するストッパ８５，８７により保持される。戻しばね４９と共にプランジャ形接極子４は、コイル支持体７５へ挿入される。続いて刃保持体５１が突き棒４３に取付けられ、突き棒４３が湾曲片７６に当接して、プランジャ形接極子４がもはやコイル支持体７５から動かされないようにする。それにより装置がまとまる。コイル３、コイル支持体７５、プランジャ形接極子４、突き棒４３、戻しばね４９及び切断刃５の縦軸線は、なるべく互いに心出しされ、ただ１つの縦軸線ａにおいて一致する。
【００２１】  プランジャ形接極子４及び継鉄半体２１，２２はそれぞれ強磁性材料から成っている。組立てられた最終状態でそれらは共に強磁性磁心を形成し、この磁心はコイル３により部分的に包囲されている。両方の継鉄半体２１，２２は、従来技術における磁束戻り継鉄２′のように、互いに対称に延びる２つの磁気回路３１，３２を閉じるのに役立ち、これらの磁気回路はプランジャ形接極子４において共通な分枝を持ち、プランジャ形接極子４を駆動することができる。装置の後方部分即ちかみ合い鎖錠装置７３，７４の範囲において、両方の継鉄半体２１，２２の脚辺がプランジャ形接極子４の非常に近くに設けられ、これらの脚辺により形成される後部通路２４内で、接極子４が往復運動可能である。装置の前方部分即ちかみ合い鎖錠装置７１，７２の範囲において、継鉄半体２１，２２の脚辺も同様にプランジャ形接極子４用の前部通路２３を形成している。しかし初期位置でプランジャ形接極子４は、前部通路２３外又は少なくとも一部だけ前部通路内にある（図４参照）。強磁性でない突き棒４３だけが前部通路２３を貫通するが、磁界３１，３２に影響を及ぼさない。切断過程を開始するため、コイル３が通電され、それにより閉じた磁界３１，３２がプランジャ形接極子４及び両方の継鉄半体２１，２２に発生される。システムの磁界エネルギは、前部通路２３が強磁性材料で多く満たされているほど、それだけ小さい。システムは、その磁界エネルギを最小にする傾向、従ってプランジャ形接極子４で前部通路２３をふさぐ傾向があるので、プランジャ形接極子４は前部通路２３の中へ加速される。図４によれば、プランジャ形接極子４は左方へアンビル６へ向かって動かされ、その際公知のように糸状体又は糸９が切断される。切断後コイル３の励磁が終了され、戻しばね４９がプランジャ形接極子４を右方へ図４の初期位置へ戻す。
【００２２】  プランジャ形接極子４へ及ぼされる力がその位置とは無関係であることが、計算からわかる。即ちプランジャ形接極子４に、その全運動中ほぼ一定の加速力が作用する。このことは、プランジャ形接極子が既に初めから比較的大きい力で加速され、それにより切断が一層速く行われる、という利点を持っている。これに反し図１及び２による従来技術では、力は間隙４４′の長さの２乗に逆比例して増大する。従って加速度は運動の初めに大きい間隙４４′に対して非常に小さく、小さい間隙４４′に対して初めて強く増大する。このような力の推移では、図３及び４によるほぼ一定な力推移の場合より遅く切断が行われる。しかし本発明は、従来技術から公知のあまり有利でない駆動磁石装置に代わって実施可能である。
【００２３】  プランジャ形接極子４及び両方の継鉄半体２１，２２は、簡単な打抜き部品として製造可能である。このことは、磁束戻り継鉄の製造が著しく複雑で費用がかかる従来技術に比べて重要な利点である。
【００２４】  支持構造体７は、図３及び４の実施例では、複数の機能をそれ自身にまとめている。それは同時にプランジャ形接極子３の巻線の支持体、両方の継鉄半体２１，２２用の位置ぎめ装置及び保持体、プランジャ形接極子４及び突き棒４３用の直線案内装置、及び戻しばね４９の支持装置である。簡単に製造可能で安価なただ１つの射出成形部品７に複数の機能をこのようにまとめることは、本発明の別の利点である。
【００２５】  ここに示す装置１の全体は、通常のように、ここには示されてないハウジングに組込まれている。しかし本発明による装置全体をハウジングに結合するために、ただ１つの取付けで充分であり、そのために複数の可能性がある。
【００２６】  図５及び６は本発明による装置１の第２実施例を示す。この第２の実施例は、多くの点で図３及び４の第１実施例と類似しているので、ここでは図３及び４からすでにわかっている素子は同じ符号で示されている。この実施例では、かみ合い鎖錠装置７１は１つの弾性腕のみを持つように構成されて、かみ合い鎖錠装置７１〜７４に対して公知の多くの可能性があることを示している。図３及び４の実施例とは異なり、ここではアンビル６がアンビル支持体６１を介して下部の継鉄半体２２に結合されるか、又はなるべくこれと共に１片から製造されている。継鉄半体２２、アンビル支持体６１及びアンビル６を自身にまとめる部分は、簡単な打抜き部品として製造することができる。それにより図５及び６の装置１は、従来技術と比較して、一層こじんまりかつ簡単に製造可能であり、また安価である。コイル３、コイル支持体７５、プランジャ形接極子４、突き棒４３、戻しばね４９、切断刃５及びアンビル６の縦軸線は、なるべく互いに心出しされ、ただ１つの縦軸線ａと一致する。
【００２７】  図７及び８において、既に３〜６に示されている大抵の素子が認められる。図３、４又は図５，６の実施例とは異なり、ここではアンビル６が突き棒４３に取付けられ、切断刃５が刃支持体５３に定置的に設けられている。刃支持体５３は、ここでは第２実施例のアンビル支持体６１のように、下部継鉄２２に続いているが、少しずれているので、切断刃５の刃先は運動軸線及びコイル軸線である軸線ａにある。コイル３、コイル支持体７５、プランジャ形接極子４、突き棒４３、戻しばね４９、切断刃５及びアンビル６の縦軸線は、なるべく互いに心出しされている。切断刃５は、もちろん下部継鉄２２とは別の所に取付けられてもよい。
【００２８】  本発明は上述した実施例には限定されていない。本発明を知れば、当業者は別の変形例を推論することができ、これらの変形例は本発明の対象に属する。特に３つの上述した実施例は互いに組合わせることができる。本発明にとって重要でない要素は、従来技術におけるように構成可能である。
【符号の説明】
【００２９】  １，１′        装置
１０′          支持体
１１′，１２′  結合ねじ
２′            磁束戻り継鉄
２１，２２      継鉄半体
２３            プランジャ形接極子用前部通路
２４            プランジャ形接極子用後部通路
３，３′        コイル
３１，３２      磁気回路
４，４′        プランジャ形接極子
４１′          プランジャ形接極子の前端部
４３，４３′    突き棒
４４′          間隙
４９，４９′    戻しばね
５，５′        切断刃
５１，５１′    刃保持体
５２′          刃保持体と突き棒との結合装置
５３            刃支持体
６              アンビル
６０            アンビル面
６１            アンビル支持体
７              支持構造体
７１〜７４      かみ合い鎖錠装置
７５            コイル支持体
７６            湾曲片
７７            湾曲片にある穴
８１，８２      かみ合い鎖錠装置の腕
８３，８４      突起
８５〜８８      ストッパ
９              糸状体
９０            運動方向
ａ              縦軸線
【図１】
2010535681.tif 000003
【図２】
2010535681.tif 000004
【図３】
2010535681.tif 000005
【図４】
2010535681.tif 000006
【図５】
2010535681.tif 000007
【図６】
2010535681.tif 000008
【図７】
2010535681.tif 000009
【図８】
2010535681.tif 000010
【手続補正書】
【提出日】平成22年6月15日(2010.6.15)
【手続補正１】
【補正対象書類名】図面
【補正対象項目名】図４
【補正方法】変更
【補正の内容】
【図４】
2010535681.tif 000011
【手続補正２】
【補正対象書類名】図面
【補正対象項目名】図６
【補正方法】変更
【補正の内容】
【図６】
2010535681.tif 000012
【手続補正３】
【補正対象書類名】図面
【補正対象項目名】図８
【補正方法】変更
【補正の内容】
【図８】
2010535681.tif 000013
【国際調査報告】
2010535681.tif 000014
2010535681.tif 000015
2010535681.tif 000016
2010535681.tif 000017